(57)【特許請求の範囲】
【請求項１】
中空の金属製支柱と、
金属製支柱の中空部内に挿入、固定される木製柱状体とを有し、
前記金属製支柱には、長手方向所定長にわたって中空部に比して幅狭で側縁にリップ部を残した連結開口が開設され、
前記連結開口から露出する木製柱状体にねじ込まれる止着子により連結体を連結可能な支持支柱。
【請求項２】
前記金属製支柱の一端部側壁には、中空部への追加用木製柱状体の挿入を可能にする補充開口が開設される請求項１記載の支持支柱。
【請求項３】
多数の三角形状の突起を切り起こした薄板鋼材に焼入れを施した有刺プレートを備えた有刺頭部を一端に有し、
該有刺頭部の突起を天井面に圧接させて床面上に立設可能な請求項１または２記載の支持支柱。
【請求項４】
前記有刺頭部は上方に付勢されて前記金属製支柱の上端に上下方向移動自在に装着されるとともに、
前記木製柱状体は、金属製支柱の下端から進退自在に突出して床面上に支承され、
かつ、金属製支柱には、木製柱状体にねじ込まれる止着子の雌ねじ部が形成される請求項３記載の支持支柱。
【請求項５】
請求項１から４のいずれかに記載の支持支柱と、
支持支柱に支柱連結部を介して連結される連結体とを有し、
前記支柱連結部は、金属製支柱の連結開口形成面に対応する連結片と、連結開口形成面に対する対向面に対応する支承片とを有するとともに、
前記連結片に形成した雌ねじ部に螺合される自由端が平坦なボルト状の止着子を木製柱状体に押し込んで支持支柱に固定される支柱支持構造体。
【請求項６】
請求項１から４に記載の支持支柱と、
止着子により支持支柱の木製柱状体に固定されるテレビ連結装置とを有し、
前記テレビ連結装置は、支持支柱に連結される固定側ベースの下端に薄型テレビ固定用の可動側ベースを回転自在に連結するとともに、固定側ベースと可動側ベース間を、一端がいずれか一方に固定され、他端が他方に貼着位置可変に貼着する帯状面ファスナにより連結し、
前記帯状面ファスナの貼着位置の調整により薄型テレビの俯角を調整可能な薄型テレビ支持装置。
【請求項７】
前記可動側ベース、および固定側ベースは板状に形成されるとともに、
可動側ベースには複数種の薄型テレビの装着用ネジ孔に合致する取付孔が、固定側ベースには、可動側ベースに重ね合わせた状態で前記取付孔に重合する位置に貫通孔が設けられる請求項６記載の薄型テレビ支持装置。
【発明の詳細な説明】
【技術分野】
【０００１】
本発明は支持支柱に関するものである。
【背景技術】
【０００２】
テレビパネル等の連結体を連結するための支持支柱としては、特許文献１に記載のものが知られている。
【０００３】
この従来例において、支持支柱は長手方向所定間隔に長孔を開設した長孔列を有して上下端を天井面および床面間に架設して設置され、連結体となる薄型テレビは、上記長孔に嵌合、係止する引掛け式係止金具を備えたテレビ取付金具を介して支持支柱に連結される。
【先行技術文献】
【特許文献】
【０００４】
【特許文献１】特開２００６-６０７５４号公報
【発明の概要】
【発明が解決しようとする課題】
【０００５】
しかし、上述した従来例において、テレビ取付金具は、支持支柱の長孔に引掛け式係止金具を係止させて行われることから、長孔が開設されている位置にしか設置することができないために、設置位置の自由度が極めて低いという問題がある。
【０００６】
本発明は、以上の欠点を解消すべくなされたものであって、連結体の取り付け位置を無段階に調整可能な支持支柱の提供を目的とする。
【０００７】
また、本発明の他の目的は、上記支持支柱を使用した支持支柱構造体、および薄型テレビ支持装置の提供にある。
【課題を解決するための手段】
【０００８】
本発明によれば上記目的は、
中空の金属製支柱１と、
金属製支柱１の中空部内に挿入、固定される木製柱状体２とを有し、
前記金属製支柱１には、長手方向所定長にわたって中空部に比して幅狭で側縁にリップ部３を残した連結開口４が開設され、
前記連結開口４から露出する木製柱状体２にねじ込まれる止着子５により連結体６を連結可能な支持支柱（Ａ）を提供することにより達成される。
【０００９】
支持支柱（Ａ）は所定長にわたって連結開口４が開設された中空状の金属製支柱１の中空部に木製柱状体２を挿入、固定して形成される。
【００１０】
止着子５のねじ込みが可能な木製柱状体２を所定長にわたって連結開口４から外部に露出させる本発明において、連結体６の固定位置は、木製柱状体２への止着子５のねじ込み位置を変更することによって無段階で調整することが可能になる。
【００１１】
また、連結開口４は、正面視において側縁にリップ部３が残るように、すなわち、金属製支柱１が、例えば中空矩形断面で形成される場合、連結開口４形成部がコ字状断面ではなくＣチャンネル状に形成されることにより、金属製支柱１からの木製柱状体２の脱落を防止するとともに、閉断面形状に近い断面二次モーメントを得ることができ、中空部に木製柱状体２が配置されることも加わって、曲げ荷重、座屈荷重に対する十分な強度が発揮される。
【００１２】
さらに、リップ部３は木製柱状体２の軸線に対して直交方向への移動量を規制することにより、該木製柱状体２の座屈荷重、あるいは曲げ荷重に対する強度を向上させ、結果、支持支柱（Ａ）全体の強度を向上させる。
【００１３】
木製柱状体２は、予め金属製支柱１の全長にわたって挿入可能な長さに形成しておくことも可能であるが、
前記金属製支柱１の一端部側壁には、中空部への追加用木製柱状体７の挿入を可能にする補充開口８が開設される支持支柱（Ａ）を構成した場合には、必要に応じて随時追加用木製柱状体７を追加して連結体６の連結位置の自由度が確保することが可能になるために、予め長尺の木製柱状体２を用意しておく必要がなく、コスト低減を図ることが可能になる。
【００１４】
また、補充開口８は金属製支柱１の側壁部に開設されているために、金属製支柱１の両端が閉塞された状態、すなわち、所定位置に設置した状態においても追加用木製柱状体７を金属製支柱１内に挿入して連結体６の連結位置を変更することが可能になる。
【００１５】
支持支柱（Ａ）は両端を対向する壁面に固定して横向き架設したり、あるいは床面１３と天井面１２との間に縦向きに設置することが可能であるが、縦向きに設置する場合には、
多数の三角形状の突起９を切り起こした薄板鋼材に焼入れを施した有刺プレート１０を備えた有刺頭部１１を一端に有し、
該有刺頭部１１の突起９を天井面１２に圧接させて床面１３上に立設可能な支持支柱（Ａ）を構成することができる。
【００１６】
本発明において、支持支柱（Ａ）を床面１３上に立設した状態で有刺頭部１１の突起９は天井面１２に押し付けられることから、各突起９の尖頭先端が天井面１２に刺さり、あるいは微小な凹凸部の間に入り込み、さらには圧接して天井面１２との各接触点に大きな摩擦力を発生させる。この結果、上端部の横ずれを確実に防止することができるために、支持支柱（Ａ）の倒伏を効果的に防止することが可能になる。
【００１７】
さらに、上記目的を達成するための本発明の他の態様として、
前記有刺頭部１１は上方に付勢されて前記金属製支柱１の上端に上下方向移動自在に装着されるとともに、
前記木製柱状体２は、金属製支柱１の下端から進退自在に突出して床面１３上に支承され、
かつ、金属製支柱１には、木製柱状体２にねじ込まれる止着子５の雌ねじ部１４が形成される支持支柱（Ａ）を構成することができる。
【００１８】
木製柱状体２の下端は金属製支柱１の下端から突出して支持支柱（Ａ）の脚部を構成し、金属製支柱１の雌ねじ部１４に保持される止着子５を木製柱状体２にねじ込むことにより支持支柱（Ａ）の全長を無段階に調整することが可能になるために、有刺頭部１１における天井面１２への圧接力を高く設定することが可能になる。
【００１９】
すなわち、無段階の長さ調整が不可能で、上端がスプリングにより伸長方向に付勢された支持支柱（Ａ）を床面１３と天井面１２との間に架設させる場合には、予め支持支柱（Ａ）の全長を室内の高さ寸法に比して長く調整した状態でスプリングを撓ませて下端を所定位置に移動させ、さらに、スプリングの撓みを解消させることにより下端を床面１３上に圧接させる必要がある。
【００２０】
この結果、天井面１２への圧接力を発生させるためのスプリングの有効撓み量は、設置作業初期における撓み量に比して少なくなる。この設置作業のために費消されるスプリングの最大撓み量は支持支柱（Ａ）の設定位置間の間隔が大きくなるにつれて大きくなるために、設置完了時のスプリングの撓み量が過少となって所定の圧接力が確保できない虞が発生する。
【００２１】
この問題は、長さの調整刻みを小さくしたり、あるいはスプリングのバネ定数を小さくすることにより対処可能であるが、前者による場合には、多数のねじ止め箇所を設ける必要が生じ、構造が複雑で、かつ、コスト上昇を招くという問題がある。
【００２２】
また、後者の場合であっても、スプリングの巻き数を多くし、あるいはコイル径を大きくした上で、撓み量を大きくする必要があるために、スプリングを大型化する必要が生じ、コスト上昇、あるいは組立作業性の劣化を招来する。
【００２３】
これに対し、全長の無段階調整が可能な本発明における支持支柱（Ａ）は、付勢力に抗して有刺頭部１１が天井部に所定の圧接力で圧接するまでスプリング等を撓ませた状態で下端が床面１３に達するまで木製柱状体２を引き出して止着子５により突出寸法を決定して設置することができる。この結果、設置作業時と設置完了時の寸法変化に対するスプリングによる吸収を見込む必要がなくなるために、スプリングの設計が容易で、かつ、安価に製造することが可能になる。
【００２４】
さらに、上記支持支柱（Ａ）を利用することにより、
上記支持支柱（Ａ）と、
支持支柱（Ａ）に支柱連結部１５を介して連結される連結体６とを有し、
前記支柱連結部１５は、金属製支柱１の連結開口４形成面に対応する連結片１６と、連結開口４形成面に対する対向面に対応する支承片１７とを有するとともに、
前記連結片１６に形成した雌ねじ部１４に螺合される自由端が平坦なボルト状の止着子５を木製柱状体２に押し込んで支持支柱（Ａ）に固定される支柱支持構造体を構成することができる。
【００２５】
本発明において、支柱支持構造体は、用途に応じて支持支柱（Ａ）に棚板、棚受け等の連結体６を固定して形成され、連結体６の支持支柱（Ａ）への固定は連結体６に一体に、あるいは連結体６に対して別体に形成され、適宜手段で連結体６に連結されるブラケットとして構成される支柱連結部１５を介して行われる。
【００２６】
支柱連結部１５は、金属製支柱１の連結開口４が形成される壁面とそれに対向する壁面との間の間隔にほぼ等しい間隔で対向配置される連結片１６と支承片１７とを有しており、連結片１６にはナットを溶接し、あるいはバーリング加工を施す等して雌ねじ部１４が形成される。
【００２７】
連結体６の支持支柱（Ａ）への連結は、挟持片を金属製支柱１の連結開口４に向けた状態で雌ねじ部１４に保持される止着子５を木製柱状体２に押し込んで行われ、連結体６に雌ねじ部１４を形成することにより、先端が鋭利なタッピングスクリュー、あるいは木ねじを使用することなく自由端が平坦なボルト状の止着子５を連結手段として利用することができる。
【００２８】
雌ねじ部１４において推進力を得たボルト状の止着子５は、木製柱状体２を押し潰しながら所定深さまで進入するために、尖端が楔として機能する木ねじ等を使用する場合に比して、木製柱状体２の割れ等を防止することができる上に、水平面に対する投影面積が大きなために、剪断抵抗も高くなり、固定強度を向上させることが可能になる。
【００２９】
また、上記支持支柱（Ａ）を使用することにより、
支持支柱（Ａ）と、
止着子５により支持支柱（Ａ）の木製柱状体２に固定されるテレビ連結装置１８とを有し、
前記テレビ連結装置１８は、支持支柱（Ａ）に連結される固定側ベース１９の下端に薄型テレビ２０固定用の可動側ベース２１を回転自在に連結するとともに、固定側ベース１９と可動側ベース２１間を、一端がいずれか一方に固定され、他端が他方に貼着位置可変に貼着する帯状面ファスナ２２により連結し、
帯状面ファスナ２２の固定用面ファスナへの貼着位置の調整により薄型テレビ２０の俯角を調整可能な薄型テレビ支持装置を構成することができる。
【００３０】
本発明において、テレビ連結装置１８は支柱支持体と可動側ベース２１とを回転自在に連結しただけの簡単な構造を有するために製造コストを低減させることができ、かつ、帯状面ファスナ２２の貼着位置を調整するだけで薄型テレビ２０の画面の俯角を調整することができるために、使い勝手も良好になる。
【発明の効果】
【００３１】
本発明によれば、薄型テレビ等の連結体の取り付け位置を無段階に調整することができる。
【図面の簡単な説明】
【００３２】
【図１】本発明を示す背面図である。
【図２】図１の側面図である。
【図３】支持支柱を示す図で、（ａ）は分解図、（ｂ）は（ａ）の３Ｂ-３Ｂ線断面図である。
【図４】支持支柱の断面図で、（ａ）は図２の４Ａ-４Ａ線断面図、（ｂ）は図４（ａ）の４Ｂ方向から見た止着子の正面図、（ｃ）は図１の４Ｃ-４Ｃ線断面図である。
【図５】有刺プレートを示す図で、（ａ）は平面図、（ｂ）は正面図、（ｃ）は要部斜視図である。
【図６】テレビ連結装置を示す図で、図１の６Ａ-６Ａ線断面図である。
【図７】支柱連結部を示す図で、（ａ）は図６の７Ａ部拡大図、（ｂ）は図７（ａ）の７Ｂ-７Ｂ線断面図である。
【図８】テレビ連結装置を示す図６の８Ａ方向矢視図である。
【図９】棚板を示す図で、（ａ）は断面図、（ｂ）は（ａ）の９Ｂ方向矢視図である。
【発明を実施するための形態】
【００３３】
図１以下に支持支柱（Ａ）を使用して薄型テレビ支持装置を形成した実施の形態を示す。
【００３４】
支持支柱（Ａ）は、室内の床面１３と天井面１２との間に架設され、矩形断面形状の金属製支柱１と、金属製支柱１の中空部内に挿入される木製柱状体２とを有する。
【００３５】
図１、３に示すように、金属製支柱１の一側壁にはほぼ全長にわたって連結開口４が開設されており、この連結開口４の上端部には、連結開口４を拡幅することにより補充開口８が形成される。
【００３６】
図３（ｂ）に示すように、補充開口８の開口幅は金属製支柱１の内壁間の間隔より狭く形成されており、補充開口８、および連結開口４の側辺部には後述する木製柱状体２、および追加用木製柱状体７を側縁部を押さえるためのリップ部３が形成される。
【００３７】
さらに、金属製支柱１にはナットが溶接されて雌ねじ部１４が形成される。雌ねじ部１４は、連結開口４が形成される壁面に隣接する壁面に形成され、後述する有刺頭部１１を天井面１２に押し付けた状態で雌ねじ部１４に装着された止着子５へのねじ込み操作がしやすい位置に配置される。図１に示すように、本例においては、金属製支柱１の下端と、そのやや上方の２箇所に設けられる。
【００３８】
一方、木製柱状体２は、少なくとも上記連結開口４の幅方向寸法に比して大きな幅寸法の木製角柱で、本例においては、強度、および止着子５のねじ込み操作性を考慮して栂材が使用される。
【００３９】
図１、３および図４（ａ）に示すように、この木製柱状体２は、下端部を金属製支柱１の下端から突出させた状態で該金属製支柱１内に挿入、固定され、木製柱状体２の下端に支持プレート２５を固定することにより支持支柱（Ａ）の脚部とされる。
【００４０】
支持プレート２５は金属板材により形成されて木ねじ２５ａにより木製柱状体２の下端面に固定され、支持プレート２５の裏面にすべり止め用のゴム板２５ｂ等が貼り付けられる。
【００４１】
また、支持プレート２５と木製柱状体２の下端面との間にはエラストマーにより形成される適宜厚のパッキン２６が介装され、床面１３に対する立設角度の調整代が確保される。
【００４２】
図１に示すように、木製柱状体２は金属製支柱１の中間部までの長さに形成されており、該木製柱状体２の配設領域以外に連結体６を連結する場合には、追加用木製柱状体７が挿入される。追加用木製柱状体７は、上記補充開口８から挿入可能な木製角柱で、連結開口４の幅寸法に比して大寸の太さに形成される。
【００４３】
さらに、上記金属製支柱１の上端には有刺頭部１１が装着される。図３、４に示すように、有刺頭部１１は、木製角柱等により形成されて金属製支柱１の中空部に摺動自在に挿入されるスライド杆１１ａと、スライド杆１１ａの上端に配置される金属製の支持プレート１１ｂと、支持プレート１１ｂ上に配置される有刺プレート１０を有する。
【００４４】
支持プレート１１ｂと有刺プレート１０とは円形に形成されており、中心開設された取付孔２７を挿通する木ねじ１１ｃによりスライド杆１１ａに共締めされる。
【００４５】
さらに、図４（ｂ）に示すように、有刺頭部１１と金属製支柱１の上端面との間には、スライド杆１１ａに巻装される圧縮スプリング２８が介装されており、有刺頭部１１を上方に付勢する。有刺頭部１１の上方ストローク終端を決定するために、スライド杆１１ａには上方ストローク位置において補充開口８の上端に干渉するストローク規制ピン２９が打ち込まれる。
【００４６】
また、支持プレート２５とスライド杆１１ａの上端との間には、下端部と同様に、エラストマーにより形成される適宜厚のパッキン３０が介装され、天井面１２に対する交差角度の調整代が確保される。
【００４７】
図５に示すように、有刺プレート１０は、円板状の高炭素鋼薄板材に多数の三角形状の突起９を切り起こした後、焼き入れ処理を施して形成される。突起９は、複数の同心円上に等間隔に配置され、同心円に対する接線方向に折曲縁が配置される。
【００４８】
この結果、突起９がプラスターボード等に突き刺さった状態で側面視における突起９の総投影面積は投影方向が変わっても一定となるために、ズレ方向の移動に対して全方向にわたって均等、かつ大きな抵抗力を発揮させることができる。
【００４９】
したがってこの実施の形態において、支持支柱（Ａ）の設置は、木製柱状体２を金属製支柱１内に所定寸法挿入させて全長を短くした状態で、支持支柱（Ａ）の中間部を持って有刺頭部１１を圧縮スプリング２８の付勢力に抗して天井面１２に押し付けて行われる。有刺頭部１１の有刺プレート１０はスライド杆１１ａ、すなわち金属製支柱１に対して揺動方向に自由度を有しているために、有刺頭部１１を天井面１２に押し付けた状態で金属製支柱１の直立性を調整することができる。
【００５０】
一方、木製柱状体２は有刺頭部１１の装着作業時に自重により降下して下端が床面１３に当接した状態となっているために、圧縮スプリング２８が十分に撓んでいることを確認して金属製支柱１の雌ねじ部１４に予め装着しておいた止着子５を木製柱状体２にねじ込んで設置作業が終了する。
【００５１】
本例において、図４（ａ）に示すように、止着子５には先端面が平坦なボルトが使用され、締結操作とともに、ボルト軸部は木製柱状体２を圧潰しつつ内部に進入する。また、止着子５の頭部は締結終了時の意匠性を考慮し、球面状に形成される。
【００５２】
さらに、図４（ｂ）に示すように、止着子５の頭部には大きな締め込みトルクを得ることのできるＬ型六角レンチを締結具として使用するために六角穴５ａが設けられる。止着子５への締め込みトルクを大きくすることにより、止着子５の連結操作性が向上するために、圧縮スプリング２８を撓ませた状態を保持しながら木製柱状体２の金属製支柱１への固定操作も簡単になり、組立作業が簡単になる。
【００５３】
以上のようにして所定位置に立設された支持支柱（Ａ）には、連結体６としての薄型テレビ２０がテレビ連結装置１８を介して固定される。
【００５４】
図６に示すように、テレビ連結装置１８は固定側ベース１９と、固定側ベース１９の下端にヒンジ１８ａを使用して回転自在に連結される可動側ベース２１とを有し、固定側ベース１９に設けられた支柱連結部１５を介して支持支柱（Ａ）に固定される。支柱連結部１５は固定側ベース１９に一体に形成することも可能であるが、本例においては、ベース本体１９ａから分離可能なブラケットとして形成される。
【００５５】
ブラケット１５と着脱自在に保持するために、ベース本体１９ａには固定ブロック部１９ｂが、ブラケット１５には固定ブロック部１９ｂを上下から挟み込む固定片１５ａが形成され、両者は固定ブロック部１９ｂと固定片１５ａを貫通する連結ピン３１を介して水平回転自在に連結される。
【００５６】
上記ブラケット１５は、図７（ｂ）に示すように、中間片１５ｂを介して連結される連結片１６と支承片１７とを有し、連結片１６にはナットが溶接されて雌ねじ部１４が形成される。また、連結片１６の上下端は折り返されて上述した固定片が形成される。
【００５７】
以上のように形成されるブラケット１５の支持支柱（Ａ）への固定は、連結片１６を連結開口４に向けた姿勢で当該連結片１６、中間片１５ｂ、および支承片１７により金属製支柱１を囲むようして所定高さに保持した後、予め雌ねじ部１４に装着しておいた止着子５をねじ込んで行われる。
【００５８】
止着子５は、上述した木製柱状体２下端の金属製支柱１の固定に使用するものと同一のもの、すなわち、自由端が平坦で、球面状の頭部にＬ型六角レンチ用の六角穴が形成されたものが使用される。
【００５９】
また、ブラケット１５の設置高さまで木製柱状体２が達していない場合、連結可能領域を補充開口８から追加用の木製柱状体２を挿入することにより拡張することができる。
【００６０】
さらに、テレビ連結装置１８の固定側ベース１９と可動側ベース２１の上端同士は帯状面ファスナ２２とストッパベルト３２により連結され、固定側ベース１９には、帯状面ファスナ２２を貼着するための固定用面ファスナ３３が固定される（図１参照）。帯状面ファスナ２２は、薄型テレビ２０を固定した後でも操作できるように、固定側ベース１９の両側縁近傍に配置される。
【００６１】
帯状面ファスナ２２は、一端が可動側ベース２１に固定されており、自由端部を固定用面ファスナ３３に貼着することにより可動側ベース２１と固定側ベース１９との角度を所定角度に保持することができる。
【００６２】
一方、ストッパベルト３２は固定側ベース１９と可動側ベース２１間の最大開き角を制御するために設けられるもので、一端が固定側ベース１９の連結ピン３１に、他端が可動側ベース２１に固定される。
【００６３】
さらに、上記固定側ベース１９のベース本体１９ａと可動側ベース２１とは木製の板材により形成されており、可動側ベース２１には取付孔２３が、連結体６本体部には貫通孔２４が開設される。
【００６４】
取付孔２３は、ＶＥＳＡ(Video Electronics Standards Association)規格による複数種の薄型テレビ２０の取り付け位置に一致する位置に配置されるとともに、貫通孔２４は可動側ベース２１を固定側ベース１９に重ねたとき（開き角度０）、取付孔２３に合致する位置に開設される。
【００６５】
したがってこの実施の形態において、薄型テレビ２０の設置は、支持支柱（Ａ）を室内の所定位置に立設した後、支持支柱（Ａ）にテレビ連結装置１８を装着してテレビ支持装置を組み立てることにより行われる。
【００６６】
テレビ連結装置１８の固定に際し、まず、ブラケット１５を支持支柱（Ａ）の適宜高さに連結し、次いで、予め薄型テレビ２０を固定したテレビ連結装置１８の残部をブラケット１５に連結する。薄型テレビ２０の固定は、帯状面ファスナ２２を使用して固定側ベース１９のベース本体１９ａと可動側ベース２１とを重ね合わせ状態とした後、薄型テレビ２０の裏面に積層し、さらに、図６に示すように、貫通孔２４、および取付孔２３から見える薄型テレビ２０のネジ孔に取り付けネジ３４をねじ込むことにより簡単に行うことができる。
【００６７】
このようにしてテレビ連結装置１８に薄型テレビ２０を固定した後、図７に示すように、ベース本体１９ａの固定ブロック部１９ｂの下端をブラケット１５の下方の固定片１５ａ上に載せるようにして保持し、次いで、連結ピン３１を固定片１５ａ、および固定ブロック部１９ｂに貫通することにより設置作業が完了し、設置後、帯状面ファスナ２２の貼着位置を調整することにより薄型テレビ２０の画面の俯角を調整することができる。
【００６８】
さらに、本例において、上記テレビ支持装置に棚板３５を追加して支柱支持構造体が構成される。
【００６９】
図９に示すように、棚板３５は、上記ブラケット１５を介して支持支柱（Ａ）に連結される棚押え３５ａにより支持される。棚押え３５ａは、側面視台形状で金属製支柱１の幅寸法に比してやや小寸の厚さを有する木製板材により形成される。
【００７０】
棚板３５と棚押え３５ａにはピン貫通孔３５ｃが開設されており、棚板３５の固定は、図９に示すように、棚板３５と棚押え３５ａをブラケット１５の固定片１５ａの間に挟み込んだ後、連結ピン３１を装着するだけで簡単に行うことができる。
【００７１】
なお、以上において、テレビ支持装置、あるいは支柱支持構造体は、１本の支持支柱（Ａ）に連結体６を固定することにより形成される場合を示したが、これに限られるものではなく、２本の支持支柱（Ａ）間に連結体６を固定したり、あるいは３本以上の支持支柱（Ａ）間を適宜の連結杆で連結してより安定性を向上させることが可能である。
【符号の説明】
【００７２】
１        金属製支柱
２        木製柱状体
３        リップ部
４        連結開口
５        止着子
６        連結体
７        追加用木製柱状体
８        補充開口
９        突起
１０      有刺プレート
１１      有刺頭部
１２      天井面
１３      床面
１４      雌ねじ部
１５      支柱連結部
１６      連結片
１７      支承片
１８      テレビ連結装置
１９      固定側ベース
２０      薄型テレビ
２１      可動側ベース
２２      帯状面ファスナ
２３      取付孔
２４      貫通孔
Ａ        支持支柱
【図１】
0006507064.tif 000002
【図２】
0006507064.tif 000003
【図３】
0006507064.tif 000004
【図４】
0006507064.tif 000005
【図５】
0006507064.tif 000006
【図６】
0006507064.tif 000007
【図７】
0006507064.tif 000008
【図８】
0006507064.tif 000009
【図９】
0006507064.tif 000010